Podtech/llm-jp-corpus-v4-ja_patent huggingface dataset:
(57)【要約】      （修正有）【課題】短期間のうちに、指間が雑菌や悪性菌に犯かされて悪臭や水虫が発生する、その最大の予防は特に指間の入り江部分の汚れを一掃することである、煩わしくなく短時間の動作と手軽さで効率のよい安価な指ブラシを提供する。【解決手段】製造工程とコスト抑制をできるように工夫した、指間合せツマミ付き指ブラシと、あか落しヤスリなどの機能を一体に纏めているので扱いやすく、尚軸のブラシを湾曲にした効率のよい、指ブラシを特徴とする。【選択図】図３
0003127765.tif 000002
【実用新案登録請求の範囲】
【請求項１】
平らな軸棒の全面に、肌の汚れを落とす毛質生地を貼り固着して設けた、指ブラシ。
【請求項２】
毛質生地に代わり、軸棒にブラシ素材固着して設けた、請求項１の指ブラシ。
【請求項３】
指ブラシの軸棒尖端を球状にして、その表面にあか落しのヤスリ状を設けて指ブラシとかね添えたものを特徴とする、請求項１の指ブラシ。
【請求項４】
並列に並べた指ブラシの球状と球状を、一本で２等分の右ネジと左ネジを中心にツマミを固定したネジで連結して、そのツマミを廻わすと右と左ネジの働きで球状と球状が正反対に移動し指ブラシ間隔が変わり、指サイズに合わせる事ができる２連ブラシを特徴とする、請求項１の指ブラシ。
【考案の詳細な説明】
【技術分野】
【０００１】本考案は、手や足の指間を毛質生地又はブラシで設けたあか落としやマッサージをする、指ブラシに関するもの。
【背景技術】
【０００２】従来手や足の指間の洗浄は、布タオルやスポンジ等で行っているのが大勢である。【０００３】布タオルやスポンジなどでは、こびり着いたカビや悪臭のもとの雑菌、あか、水虫などを洗い落とすことが大変困難である。
【考案の開示】
【考案が解決しょうとする課題】
【０００４】上述の如く、指間は布タオルやスポンジでの洗い落としはその箇所の接触動作が難しく、除去洗浄が困難である。
【０００５】このために、固着したあかやカビが原因で悪臭や水虫などの発生源となり、その除去や予防手入れをせずそのまま平気な方もあれば、また薬品を利用して行っているのが現状である。
【課題を解決するための手段】
【０００６】この様な悩みを解消するためになされた指ブラシでありその方法と目的は、平らな軸棒に毛質生地又はブラシを固着して設けた指ブラシで指間に反復動作でこすることであかや悪臭、水虫などの不潔なもとをこすり落とすことができて、いつでも手軽で安価で清潔にすることができるのである。
【０００７】また指ブラシを並列にして、ツマミを固定した正逆のネジでもって連結して、そのツマミ操作で指ブラシの間隔を変えることで指間に素直に合わせられ、この様に２連の指ブラシで動作すると効率が上がり尚丁寧に洗い落とすことができるのである。
【考案の効果】
【０００８】以上の様に本考案は、平らな軸棒に毛質生地又はブラシを固着した指ブラシ、また２連の場合は指幅に自由にツマミでやさしく合わせることができる構造にしたので、指と指ブラシの接触面がより緊密になり不潔発生の元を簡単にこすり落す効果があるのである。
【考案を実施するための最良の形態】
【０００９】実施の形態を図面に基いて説明します。【００１０】図１は指ブラシの外観斜視図、図２は外観図を表す。
指間をこする毛質生地又はブラシ▲１▼を軸に固着さしている、あか取りのヤスリ状▲２▼は球状外周面に直接加工しいる、そして指のサイズに合わせて指間にブラシを素直に添わせるためにツマミネジ▲３▼を設けた、指ブラシの外観図である。【００１１】図３は、軸▲４▼に固着した毛質生地又はブラシと、球状▲５▼に具備したヤスリとツマミネジの主要構造の断面図を示すものである。【００１２】図４の軸側面図は、指ブラシでこする反復動作の際に、特に軸へ湾曲面を設けることで指間とブラシとの接触が緊密になってこすりの具合をよくするために工夫をしたものである。【００１３】図５のツマミネジ断面図は、▲６▼▲７▼の右、左ネジをツマミに固定しているのでツマミを回わすとネジの相対原理が働いて、軸を広くしたり狭くしてブラシが指間サイズにやさしく簡単に合う仕組みと構造である。【００１４】また、ツマミネジを最後まで廻わして広げると分解できて、簡単に指ブラシが単独使用ができる仕組みと構造にして、尚且つ毛質生地やブラシなど使用後の汚れや手入れが簡単にできるのである。【００１５】球状▲５▼にヤスリ面を施しているので、足底や指裏などの入り江部分へ素直に接触して隅々まで適切なあか落しができるのである。【００１６】図６は軸の指ブラシ断面図で、軸断面の四方隅を丸型にすることで毛質生地やブラシ面も丸くなり、指間や皮膚に触れる感覚をやさしくして、尚且つこびり着いたあかや悪臭の除去効果が増すのである。
【実施例】
【００１７】構造部分など形状の寸法範囲を限定しないが、指ブラシを単独に利用し、または２連の指ブラシとして利用の場合、球状と軸その全ての構造は全っく同じ物を利用するので経済的である。
素材は合成樹脂材を利用することで製造工程、品質管理がよく腐食しない、扱いやすい、尚コスト低減ができて最良である。、【００１８】軸ブラシが２個と、ツマミネジ１個の保有で単独の指ブラシとして利用するなり、またはツマミネジでセットすることで２連の指ブラシとして適宜どちらでも有効に利用できるのである。
【産業上の利用可能性】
【００１９】本考案は、衛生的な元の一環として必需であると認識することから製造、販売の産業に大いに利用できる。
【図面の簡単な説明】
【００２０】
【図１】外観斜視図
【図２】外観図
【図３】正面断面図
【図４】側面断面図
【図５】ツマミネジ断面図
【図６】軸ブラシ断面図
【符号の説明】
【００２１】▲１▼            毛質生地又はブラシ
▲２▼            ヤスリ状
▲３▼            ツマミネジ
▲４▼            軸棒
▲５▼            球状
▲６▼            右ネジ
▲７▼            左ネジ
【図１】
0003127765.tif 000003
【図２】
0003127765.tif 000004
【図３】
0003127765.tif 000005
【図４】
0003127765.tif 000006
【図５】
0003127765.tif 000007
【図６】
0003127765.tif 000008
(57)【要約】【課題】本考案は、夜間に視認性に劣る小型道路標識に専用の取付け孔を利用した照明を取り付けることで視認性を向上する。【解決手段】本考案は、発光ダイオードに専用のレンズを装着し、光の照射幅を増幅し、太陽光発電パネルと蓄電池を備え、光センサーで小型道路標識表面に照度が低下した時点で自動的に作動し、、小型道路標識の専用取付け孔に小資金で設置することが出来る。【選択図】図６
0003127753.tif 000002
【実用新案登録請求の範囲】
【請求項１】
道路標識の視界を妨げず、複数個の発光ダイオードを横並びに基盤に配置し、さらに光を拡散させるための円筒形の透明アクリルレンズを装着した発光体と電源としての太陽光パネル、蓄電池と光センサーを装着し、かつ既存の道路標識の支柱への取付け部の留め金の位置に合致した取付け穴を備えた道路標識用照明装置取付け器具
【考案の詳細な説明】
【技術分野】
【０００１】  本考案は、道路標識の視認性を向上させる為の照明器具に関するものである。
【背景技術】
【０００２】  従来は高速道路や一般道路の大型道路標識の視認性を高めるための照明器具は存在していたが、大掛かりな設備の為、工事費用や管理費用が多く掛かるものであった。
【考案の開示】
【考案が解決しようとする課題】
【０００３】  一般道に設置されている多くの小型道路標識には照明装置は皆無で、そのため標識を見落としたことによる事故や交通違反が多数見られた。
【課題を解決するための手段】
【０００４】  上記課題を解決する為に小型道路標識に照明装置を取付ける。
【考案の効果】
【０００５】  運転者、歩行者の視認性を高め交通事故や交通違反の抑制や防止に役立てるようにする。
【考案を実施するための最良の形態】
【０００６】  発光ダイオード、太陽光発電、小型蓄電池、光センサーを使用することと既存の道路標識に簡単に取り付けできる装置の導入により、低コストで運営、管理することが可能である。
【産業上の利用可能性】
【０００７】  本考案を道路標識を設置、管理する国や地方自治体が採用することにより、交通事故や交通違反の低減に大きく貢献できる。
【図面の簡単な説明】
【０００９】
【図１】本考案の発光ダイオード及び基盤の平面図である。
【図２】本考案の発光体の正面図である。
【図３】本考案の発光体の側面図である。
【図４】本考案の発光体の光の分散状態を示したものである。
【図５】本考案の装置の上面図である。
【図６】本考案の装置の側面図である。
【図７】本考案の装置の背面図である。
【図８】本考案の装置の正面図である。
【符号の説明】
【００１０】１    基盤
２    発光ダイオードチップ
３    直線用透明アクリルレンズ
４    半円形用透明アクリルレンズ
５    照明装置カバー
６    太陽光発電パネル
７    照明灯
８    蓄電池
９    取付け用孔
１０  光センサー
１１  光センサー用スイッチ
１２  交通標識本体
【図１】
0003127753.tif 000003
【図２】
0003127753.tif 000004
【図３】
0003127753.tif 000005
【図４】
0003127753.tif 000006
【図５】
0003127753.tif 000007
【図６】
0003127753.tif 000008
【図７】
0003127753.tif 000009
【図８】
0003127753.tif 000010
(57)【要約】【課題】鍛錬やセンスによらず、初心者でも体を固定した状態からキューを射出し、比較的正確な撞球を可能とする自動的撞球装置付きビリヤードキューを提供する。【解決手段】バット２に調整溝６を付けた、一定量のグリップスライド部８を設け、さらに後部に段階フック４を設置する。カギ爪レバー５付き筒状グリップ３をグリップスライド部８に装着した上で、ゴム又はバネ７により段階フック４と連結する。筒状グリップ３をスライドさせ、任意の位置で、カギ爪レバー５により調整溝６に固定させることと、同時に、連結するゴム又はバネ７の収縮力を発生させることで、シャフト１の撞球量、及び強さを得ることが可能となる。使用者は体を動かすこと無く、筒状グリップ３にあるカギ爪レバー５を操作するだけで撞球可能である。【選択図】図１
0003127758.tif 000002
【実用新案登録請求の範囲】
【請求項１】
バットのシャフト接続方向側に、一定量スライド可動し任意の移動箇所で固定可能な、独立したグリップを設置し、後部側にフックを設け、それらをゴム又はバネで接続し固定してなる自動撞球装置付きビリヤードキュー。
【考案の詳細な説明】
【技術分野】
【０００１】  本考案は、自動的にキューを射出し撞球を可能とするビリヤード遊具に関する。
【背景技術】
【０００２】  ビリヤード遊戯において、従来の発案は、鍛錬やセンスによらず初心者でも、体を動かさずに撞球を可能とするキュー又は装置を提供した。
【特許文献１】  実開平５−０２１９８６
【考案の開示】
【考案が解決しようとする課題】
【０００３】  しかしながら、バネの反発力によりシャフトを射出し撞球する構造の為、機構が比較的複雑で、射出量及び射出強さの調節面でいささかの不利があった。
【課題を解決するための手段】
【０００４】  本考案は、バット２にグリップスライド部８を設け、任意の位置で固定可能な一定量可動する独立した筒状グリップ３を装着し、さらに、バット２後部に接続箇所を選択できる段階フック４を設け、それをゴム又はバネ７で連結し固定した構造をなし、
【考案の効果】
【０００５】撞球の際のキューの射出量及び射出強さを、筒状グリップ３のスライド量及び、ゴム又はバネ７の段階フック４への接続位置、又はその硬さにより調整可能とした。
【考案を実施するための最良の形態】
【０００６】  バット２に、一定量のグリップスライド部８を設け調整溝６を付ける。そこへ、カギ爪レバー５付き筒状グリップ３を装着し、バット２後部に設けた段階フック４の何れかに、ゴム又はバネ７で接続して固定する。
【実施例】
【０００７】筒状グリップ３を、スライドさせゴム又はバネ７の収縮力を得つつ、カギ爪レバー５により調整溝６に任意で固定し、これにより撞球量及び撞球強さを設定する。使用者は、的球に向かい基本的なフォームで構え、筒状グリップ３にあるカギ爪レバー５のみ操作することで、好みの撞球が成立する。
【図面の簡単な説明】
【図１】本考案にかかるビリヤードキュー正面図。尚、筒状グリップ３は断面図。
【図２】筒状グリップ周辺拡大図。
【符号の説明】
１・・・シャフト
２・・・バット
３・・・筒状グリップ
４・・・段階フック
５・・・カギ爪レバー
６・・・調整溝
７・・・ゴム又はバネ
８・・・グリップスライド部
【図１】
0003127758.tif 000003
【図２】
0003127758.tif 000004
(57)【要約】      （修正有）【課題】暴漢その他の攻撃者に対し防御する際に、引き金を引くことにより銃身内部に備えられた伝達ロッドを通じて噴射装置の噴射させる点を圧迫することで、噴射装置が破裂し、中に入れておいた着色粉末または着色液体等が銃口から噴射され攻撃者の衣服等に付着することを目的としてつくられた噴射装置付き防御用ショットガンを提供する。【解決手段】次のような手段を講じる。（１）銃身の先端部分にボンベ状の噴射装置を施す。（２）ボンベ状の噴射装置の内部に着色粉末または着色液体等を施す。（３）引き金を引くことにより、銃身内部の伝達ロッドを通じてボンベ状の噴射装置の噴射させる点を押すことにより、ボンベ状の噴射装置から着色粉末または着色液体等が噴射する。【選択図】図１
0003127756.tif 000002
【実用新案登録請求の範囲】
【請求項１】
金属または硬化合成樹脂材料等でつくられており、銃身の先端部分に、内部に着色粉末または着色液体が入っているボンベ状の噴射装置を供えており、暴漢その他の攻撃者に対し防御する際に、引き金を引くことにより銃身内部に備えられた伝達ロッドを通じて噴射装置の噴射させる点を圧迫することで、噴射装置が破裂し、中に入れておいた着色粉末または着色液体等が銃口から噴射され攻撃者の衣服等に付着することを目的としてつくられた噴射装置付き防御用ショットガン。
【考案の詳細な説明】
【考案の詳細な説明】
【技術分野】
【０００１】  本考案は，金融機関やコンビニエンスストア等に常備しておき、暴漢その他の攻撃者に対しその攻撃から身を守るために使用するピストル型の防御用器具で、いわゆる模型ショットガンの改良である。
また、銃身の先端部分に、たとえばプラスチック・軽金属製等のボンベ状の破噴射装置を備えている。
また、噴射装置の内部には着色粉末または着色液体が入っており、攻撃者を防御する際に、攻撃者の衣服等に着色粉末または着色液体が付着することにより、攻撃者をひるませ、なおかつ攻撃者が逃走しても攻撃者の識別が容易となる。
【背景技術】
【０００２】  従来の模型ガンはただ単に攻撃者を驚かせるだけである。また従来のカラーボール等では攻撃者に当てることがむずかしい。
【考案が解決しようとする課題】
【０００３】  以上のように，従来の技術ではいろいろな問題を抱えている。そこで本考案において，解決しようとする課題は次のようなものである。
▲１▼  模型ガンでは攻撃者を驚かすだけである。
▲２▼  模型ガンを見ただけでは、ただそれだけであり、ひるんだりしない。
▲３▼  攻撃者に着色粉末等が当てにくい。
▲４▼  攻撃者が逃走した場合、追跡する際に攻撃者の目印となるものがない。
▲５▼  攻撃者を捕獲したときに攻撃者であることを証明するものがない。
【課題を解決するための手段】
【０００４】  本考案は，この目的を達成するために次のような手段を講じる。
▲１▼  銃身の先端部分にボンベ状の噴射装置を施す。
▲２▼  ボンベ状の噴射装置の内部に着色粉末または着色液体等を施す。
▲３▼  引き金を引くことにより、銃身内部の伝達ロッドを通じてボンベ状の噴射装置の噴射させる点を押すことにより、ボンベ状の噴射装置から着色粉末または着色液体等が噴射する。
【考案を実施するための最良の形態】
【０００５】  本考案のもっとも好ましい実施の形態を添付図の図１に基づいて説明する。
図１において，１は噴射装置付き防御用ショットガンの本体である。２は握り部分である。３は引き金部分である。４は銃身内部における伝達ロッドである。５はボンベ状の噴射装置の噴射させる点である。６はボンベ状の噴射装置の噴射部分である。７は銃口である。８はボンベ状の噴射装置である。
【考案の効果】
【０００６】  本考案による破裂装置付き防御器具を使用することによって，次のような効果がある。
▲１▼  噴射装置の噴射により攻撃者が驚いたりひるんだりする。
▲２▼  ショットガンタイプにすることにより攻撃者に当てやすくする。
▲３▼  噴射装置が噴射し、噴射装置の内部に含まれていた着色粉末または着色液体等が飛び散ることにより、攻撃者の衣服等に付着する。
▲４▼  攻撃者が逃走しても、衣服に付着した着色粉末または着色液体等により、攻撃者の識別が容易である。
▲５▼  攻撃者を捕獲したときに着色粉末または着色液体が衣服に付着していることにより攻撃者の証拠となる。
【図面の簡単な説明】
【図１】  本考案による破裂装置付き防御用器具そのものを横から見たときの完成図である。
【符号の説明】
１…………噴射装置付き防御用ショットガンの本体
２…………握り部分
３…………引き金部分
４…………銃身内部における伝達ロッド
５…………ボンベ状の噴射装置を噴射させる点
６…………ボンベ状の噴射装置の噴射部分
７…………銃口部分
８…………ボンベ状の噴射装置
【図１】
0003127756.tif 000003
(57)【要約】【課題】  里芋のような表面が繊維で覆われた野菜の皮を剥く家庭用の皮むきが市場にない。【解決手段】  金属繊維を織り込んだ生地を指サック型にすることにより、小さな里芋でも指でつかんだ状態で皮を剥くことが出来る。  ゴボウは指サックの指でしごくようにすれば簡単に皮を剥くことが出来る。【選択図】図１
0003127751.tif 000002
【実用新案登録請求の範囲】
【請求項１】
金属を伸縮性を持った水に強いナイロン繊維の生地に織り込んだものを利用して指サック型にし、着脱を容易にするため指の背部分には伸縮性のある素材そのままとし、口部一センチ手前を縫い止めとした指サック式皮むき。
【考案の詳細な説明】
【技術分野】
【０００１】  本考案は野菜の皮を剥く為の親指と人差し指にはめる指サック皮むきである。
【背景技術】
【０００２】  ジャガイモなどの皮むきは多種類すでに考案されているが里芋の皮を剥くための適したものがなく包丁にたよるしかない
【考案の開示】
【考案が解決しようとする課題】
【０００３】  里芋は小さく包丁などで剥くと廃棄分が多くしかも大変面倒な作業である。
【課題を解決するための手段】
【０００４】  生地に金属を織り込んだものを利用することにより里芋の皮を絡めるように剥ぎ取ることが出来る。
【考案の効果】
【０００５】  里芋の皮を剥ぎ取るので廃棄物が減りその分有効食用分が多い。
【考案を実施するための最良の形態】
【０００６】  小さな里芋を左右の親指と人指し指で挟みながら廻しながら剥くために指サックの形をとる。
【実施例】
【０００７】  実施例の中には指サックに刃をつけたものはあるが本件は素材の特質を活かし左右の親指と人差し指を使って皮を剥くところに特長がある。
【図面の簡単な説明】
【０００８】
【図１】指サック
【符号の説明】
【０００９】  １  指サック本体
２  素生地部分
３  不縫合部
【図１】
0003127751.tif 000003
(57)【要約】【課題】  外出時でも嵩ばらずに携行することができ、かつ、簡単容易に使用できる洗口液の携行用フィルム容器を得ること。【解決手段】  表裏二枚のフィルム２，３を重ね合わせて熱融着し、１回分の洗口液Ａを密閉状に収容する袋状収容部４を多数並設状に備えてなる容器本体１０を形成すると共に、容器本体１０を各収容部４毎に切り離しが可能なように各収容部４，４間に切り目加工を施して切り目５を設ける一方、各収容部４の上部を先細状に形成し、かつ、この先細状部６に切り取りが可能な肉薄切取部７を設けた。【選択図】図１
0003127754.tif 000002
【実用新案登録請求の範囲】
【請求項１】
表裏二枚のフィルム２，３を重ね合わせて熱融着し、１回分の洗口液Ａを密閉状に収容する袋状収容部４を多数並設状に備えてなる容器本体１０を形成すると共に、容器本体１０を各収容部４毎に切り離しが可能なように各収容部４，４間に切り目加工を施して切り目５を設ける一方、各収容部４の上部を先細状に形成し、かつ、この先細状部６に切り取りが可能な肉薄切取部７を設けていることを特徴する洗口液の携行用フィルム容器。
【考案の詳細な説明】
【技術分野】
【０００１】  本考案は、口内洗浄や口臭予防を行う洗口液を持運びするための洗口液の携行用フィルム容器に関する。
【背景技術】
【０００２】  現在、歯周病の予防、虫歯予防、口臭予防等の観点から、液体の口内洗浄液（以下洗口液と称す。）がボトル状容器に収容されたものが出回っている。この洗口液の使用方法は、毎食後、上記容器内の洗口液を計量キャップなどを介して所定量ずつ取り出し、その取り出した洗口液を口に含んで２０秒くらい口内ですすぎ、その後排出して用いるようになっている。
【考案の開示】
【考案が解決しようとする課題】
【０００３】  しかし、洗口液の入ったボトル状容器は嵩が大きいため、自宅での使用はともかく、上記容器を持ち運んで外出先においても使用しようとすると、かばんなどが嵩張ると共に重くなり、外出の度に持ち運ぶのが大変となる問題があった。その上、使用に際して、容器から計量キャップなどを介して洗口液を所定量取り出し、その上で使用することになるため、計量しながらの洗口液の取出し作業が非常に面倒で手間を要するものであった。【０００４】  そこで、本考案は、外出時でも嵩ばらずに携行することができ、かつ、簡単容易に使用できる洗口液の携行用フィルム容器の提供を課題とする。
【課題を解決するための手段】
【０００５】  上記問題を解決するため本願の請求項１に記載の考案は、表裏二枚のフィルム２，３を重ね合わせて熱融着し、１回分の洗口液Ａを密閉状に収容する袋状収容部４を多数並設状に備えてなる容器本体１０を形成すると共に、容器本体１０を各収容部４毎に切り離しが可能なように各収容部４，４間に切り目加工を施して切り目５を設ける一方、各収容部４の上部を先細状に形成し、かつ、この先細状部６に切り取りが可能な肉薄切取部７を設けていることを特徴する。
【考案の効果】
【０００６】  本考案によれば、１回分ずつ或いは使用する回数分だけ容器本体１０から各収容部４を切り離して持ち運べはよいので、外出時に携行する場合でも嵩ばらずに持ち運ぶことができ、また、使用に際しても収容部４の上部における先細状部６をその肉薄切取部７を切り取って開口するだけの簡単な作業で、１回分の洗口液Ａを迅速容易にかつ正確に使用することができる。その上、使用後には、空になった収容部４を使い捨てできるので気軽に使用することができる。
【考案を実施するための最良の形態】
【０００７】  以下、本考案の実施の形態を図に基づいて説明する。
図は本考案に係る洗口液の携行用フィルム容器を示し、該フィルム容器１は、ビニールなど樹脂製の表裏二枚のフィルム２，３を合わせて熱融着して、所定量、つまり１回分の洗口液Ａを密閉状に収容する袋状収容部４を多数並設状に備えてなる容器本体１０を形成すると共に、この容器本体１０の各収容部４毎に切り離しが可能なように各収容部４，４間にミシン目状の切り目加工を施して切り目５を設ける一方、各収容部４の上部を先細状に形成し、かつ、この先細状部６に切り取りが可能な肉薄切取部７を設けたものである。【０００８】  容器本体１０は横長で、図２に示すように薄い肉厚の板状に形成されている。そして、各収容部４を切り目５を利用して個々に切り離した場合、収容部４は上部に先細状部６を有する縦長形状を呈している。【０００９】  また、洗口液Ａの上記各収容部４への注入に際しては、図３に示すように予め各収容部４の先細状部６のみが開口する仮容器本体１０ａを形成し、この仮容器本体１０ａの各収容部４に上記先細状部６の開口部分を利用して適宜洗口液Ａの注入装置（図示せず）から洗口液Ａを注入し、その注入後、注入装置を退避させた状態で上記先細状部６の開口部分を熱融着して各収容部４内に洗口液Ａを密閉状に収容する。そして、上記開口部分の熱融着と同時又はその後に切り目５と肉薄切取部７の加工を施すことになる。【００１０】  次に、以上のように構成する洗口液用フィルム容器１の使用方法について説明する。外出時に携行して使用いる場合には、使用する個数だけ容器本体１０から切り目５を利用してひと固まり又はバラバラの状態に切り取って持ち運ぶ。これにより、必要以上の洗口液Ａを持ち運ぶ必要がないし、しかも、容器本体１０の厚みは図２に示すように薄い板状に形成されているので、嵩張ることがなく、重さも軽量にでき、持運びが容易かつ楽に行える。【００１１】  また、口内洗浄を行う際には、まず、ひと固まり場合は１つの収容部４を切り目５を利用して切り離して取り出し、又バラバラの場合は切り離した１つの収容部４を取り出し、次に、収容部４の上部における先細状部６の肉薄切取部７を切り取って収容部４の上端側を開口する。そして、その開口部分を口の中に入れるようにして収容部４内の洗口液Ａを開口部分から口内に流し込み、その洗口液Ａを口に含んで２０秒くらい口内ですすぎ、その後排出して口内を洗浄する。【００１２】  以上のように、本考案のフィルム容器によれば、１回分ずつ或いは使用する回数分だけ容器本体１０から各収容部４を切り離して持ち運べはよいので、外出時でも嵩ばらずに携行することができ、また、使用に際しても収容部４の上部における先細状部６をその肉薄切取部７を切り取って開口するだけの簡単な作業で、１回分の洗口液Ａを迅速容易にかつ正確に使用することができる。その上、使用後には、空になった収容部４を使い捨てできるので気軽に使用することができる。
【図面の簡単な説明】
【００１３】
【図１】  本考案に係る洗口液の携行用フィルム容器の正面図である。
【図２】  同フィルム容器の縦断側面図である。
【図３】  容器本体の収容部への洗口液の注入前の説明図である。
【符号の説明】
【００１４】１          洗口液のフィルム容器
２          表フィルム
３          裏フィルム
４          収容部
５          切り目
６          先細状部
７          肉薄切取部
１０        容器本体
【図１】
0003127754.tif 000003
【図２】
0003127754.tif 000004
【図３】
0003127754.tif 000005
(57)【要約】【課題】    本考案は、野菜の保存、及び持ち運びを容易にするものである。【解決手段】野菜を円筒の紙筒に入れるものである。【選択図】図１
0003127755.tif 000002
【実用新案登録請求の範囲】
【請求項１】
野菜を紙製の円筒状の中に入れ、野菜を保存及び持ち運びの出来るようにした紙管。
【考案の詳細な説明】
【技術分野】
【０００１】  本考案は、野菜の保存、及び運搬に関するものである。
【背景技術】
【０００２】  従来は、野菜を購入し持ち帰る場合プラスチックフイルム袋、又は紙製の袋に入れ持ち帰っていた。また、プラスチックフイルム袋に野菜を入れておくと腐敗ガスが溜まり野菜を腐敗させていた。
【考案が解決しようとする課題】
【０００３】  そこで、野菜を細長い紙製の円筒容器に入れることによって、保存場所を確保し円筒の上下から通風により腐敗ガスの滞留を阻止するものである。
【課題を解決するための手段】
【０００４】  本考案は、円筒の紙製の筒に野菜を入れることによって広い場所を必要とせず、取っ手をつけることによって持ち運びが容易になり腐敗ガスの滞留を阻止する。
【実施例】
【０００５】  図１に示すように、上部を折り曲げ封印シールを張る。叉紙筒の上部左右に穴を開け紐で取っ手を付ける。【０００６】  図２に示すように、下部に紐で網を作り野菜が落ちないようにする。
【考案の効果】
【０００７】
【０００８】  本考案は、紙筒の中に野菜を入れることによって接地面積が小さく保存場所をとらない。
【０００９】  取っ手がついているので、持ち運びが容易で、吊り下げて保存ができる。
【００１０】  紙筒で出来ているため、野菜を腐食させる有害ガスを放散させることができる。
【００１１】  紙筒の底と上部が開放されているため、空気の流通が容易で野菜の鮮度が維持できる。
【図面の簡単な説明】
【図１】  本考案に係る上部よりの鳥瞰図である。
【図２】  本考案に係る下部よりの鳥瞰図である。
【符号の説明】
１・・・・紙筒
２・・・・底部分の網
３・・・・上部の取っ手の紐
４・・・・封印シール
【図１】
0003127755.tif 000003
【図２】
0003127755.tif 000004
(57)【要約】【課題】  弁当やパーティー等における食事がより楽しく行われるようにし、また、子供の食べ物の好き嫌いを軽減できるようにする。【解決手段】  食品５に突き刺して使用するピック１において、食品５に突き刺された際に食品５より外部に露呈する部分が、食品５と一体となって特定の一形態を形成する形態形成部３とされてなることを特徴とするピック。【選択図】図１
0003127744.tif 000002
【実用新案登録請求の範囲】
【請求項１】
食品に突き刺して使用するピックにおいて、
前記食品に突き刺された際に前記食品より外部に露呈する部分が、前記食品と一体となって特定の一形態を形成する形態形成部とされてなることを特徴とするピック。
【考案の詳細な説明】
【技術分野】
【０００１】  この考案は、弁当やパーティー等において食品に突き刺し使用されるピックに関する。
【背景技術】
【０００２】  例えば、弁当箱内に小さめの食品を入れる際にはピックに食品を突き刺した状態とする場合があり、これによりその食品を食べやすくし、また、ピックにファッション性を持たせることで食事が楽しくができるようにしている。
【考案の開示】
【考案が解決しようとする課題】
【０００３】  この考案では、弁当やパーティー等における食事がより楽しく行われるようにするとともに、子供の食べ物の好き嫌いを軽減することを目的とする。
【課題を解決するための手段】
【０００４】  この考案では、食品に突き刺して使用するピックにおいて、前記食品に突き刺された際に前記食品より外部に露呈する部分が、前記食品と一体となって特定の一形態を形成する形態形成部とされてなることを特徴とするピックを提供する。【０００５】  上記構成のピックによれば、食品に突き刺されて使用されることでピックの形態形成部と食品とが一体となって特定の一形態が形成される。すなわち、このピックを使用することで、食品の「変身」がなされる。【０００６】  上記特定の一形態とは、物、動物、植物等の形そのものだけでなく、状態、景色等の目視される種々の形態を全て含む。ピックは食品と一体となって特定の一形態をより現実に近い形で具現するように、その形、色が設計される。また、ピックは突き刺し部が複数のフォーク形態のものをも含む。
【考案の効果】
【０００７】  この考案のピックを使用することで、弁当やパーティー等における食事がより楽しく行われるようになり、また、子供の野菜等の食べ物の好き嫌いも軽減されるようになる。
【考案を実施するための最良の形態】
【０００８】  図１はこの考案のピックの第１の実施形態の外観斜視図、図２は同使用状態の外観斜視図である。【０００９】  ピック１は全体がプラスチックスの有色の成形品よりなり、一端に食品への突き刺し部２を備え、その突き刺し部２が食品５に突き刺された際において外部に残り露呈する部分が形態形成部３とされている。この実施形態においてはピック１はプチトマト等よりなる球形の食品５に突き刺されることで一体となり、全体として「ひも付きの風船」の形態を呈し、形態形成部３はそのひも部分の形を備えている。【００１０】  図３はこの考案のピックの第２の実施形態の外観斜視図、図４は同使用状態の外観斜視図である。【００１１】  この実施形態においてはピック１は人参等よりなる花形の食品５の側位置に突き刺されることで食品５と一体となり、全体として「一本の草木」の形態を呈し、形態形成部３はその茎と葉の部分の形を備えている。【００１２】  図５はこの考案のピックの第３の実施形態の外観斜視図、図６は同使用状態の外観斜視図である。【００１３】  この実施形態においてはピック１はプチトマト等よりなる球形の食品５に突き刺されることで一体となり、全体として「アザラシの玉演技」の形態を呈し、形態形成部３はそのアザラシの部分の形を備えている。【００１４】  図７はこの考案のピックの第４の実施形態の外観斜視図、図８は同使用状態の外観斜視図である。【００１５】  この実施形態においてはピック１は豆等よりなる食品５それぞれに突き刺されることで一体となり、全体として「樹木」の形態を呈し、形態形成部３はその幹部分の形を備えている。この実施形態ではピック１は３個の突き刺し部２を備えたフォーク形態のものとなっている。【００１６】  図９はこの考案のピックの第５の実施形態の外観斜視図、図１０は同使用状態の外観斜視図である。【００１７】  この実施形態においてはピック１は人参等よりなる棒形状の食品５の側位置に突き刺されることで食品５と一体となり、全体として「コアラが木で休んでいる」の形態を呈し、形態形成部３はそのコアラ部分の形を備えている。【００１８】  図１１はこの考案のピックの第６の実施形態の外観斜視図、図１２は同使用状態の外観斜視図である。【００１９】  この実施形態においてはピック１はアスパラガスよりなる食品５の基部に突き刺されることで食品５と一体となり、全体として「傘」の形態を呈し、形態形成部３はその柄部分の形を備えている。【００２０】  図１３はこの考案のピックの第７の実施形態の外観斜視図、図１４は同使用状態の外観斜視図である。【００２１】  この実施形態においてはピック１はプチトマト等よりなる球形の食品５に突き刺されることで一体となり、全体として「指輪」の形態を呈し、形態形成部３はそのリング部分の形を備えている。
【図面の簡単な説明】
【図１】  この考案のピックの第１の実施形態の外観斜視図
【図２】  この考案のピックの第１の実施形態の使用状態の外観斜視図
【図３】  この考案のピックの第２の実施形態の外観斜視図
【図４】  この考案のピックの第２の実施形態の使用状態の外観斜視図
【図５】  この考案のピックの第３の実施形態の外観斜視図
【図６】  この考案のピックの第３の実施形態の使用状態の外観斜視図
【図７】  この考案のピックの第４の実施形態の外観斜視図
【図８】  この考案のピックの第４の実施形態の使用状態の外観斜視図
【図９】  この考案のピックの第５の実施形態の外観斜視図
【図１０】  この考案のピックの第５１の実施形態の使用状態の外観斜視図
【図１１】  この考案のピックの第６の実施形態の外観斜視図
【図１２】  この考案のピックの第６の実施形態の使用状態の外観斜視図
【図１３】  この考案のピックの第７の実施形態の外観斜視図
【図１４】  この考案のピックの第７の実施形態の使用状態の外観斜視図
【符号の説明】
１    ピック
２    突き刺し部
３    形態形成部
５    食品
【図１】
0003127744.tif 000003
【図２】
0003127744.tif 000004
【図３】
0003127744.tif 000005
【図４】
0003127744.tif 000006
【図５】
0003127744.tif 000007
【図６】
0003127744.tif 000008
【図７】
0003127744.tif 000009
【図８】
0003127744.tif 000010
【図９】
0003127744.tif 000011
【図１０】
0003127744.tif 000012
【図１１】
0003127744.tif 000013
【図１２】
0003127744.tif 000014
【図１３】
0003127744.tif 000015
【図１４】
0003127744.tif 000016
(57)【要約】【課題】  トイレットペーパー使用後に一度カットされた先端面が、下部にあたるトイレットペーパーにくっつき回転したりするため、先端部分が取り出しにくくなる不都合の解消等。【解決手段】  トイレットペーパーにＶ字に切れ目Ａを設けることにより、カット後のＶ字形の先端４は、下部６との接触面を少なくし、離れやすくなり、又先端４が突出しているため、容易に先端を見つける事ができ、本考案のＶカットトイレットペーパーは、この課題を解決する。【選択図】図１
0003127713.tif 000002
【実用新案登録請求の範囲】
【請求項１】
トイレットペーパーの切れ目を、従来の横一直線から、Ｖ字にすることによって先端の巻き戻り（くっつき）をなくし、取り易さと見た目の良さを考えた、Ｖカットトイレットペーパー。
【考案の詳細な説明】
【技術分野】
【０００１】  本考案は、トイレットペーパーに関するものであり、トイレットペーパーの切れ目に工夫を加える事によって、使い易くしたものである。
【背景技術】
【０００２】  従来のトイレットペーパーは、切れ目が横一直線であった（図２）。
あるいは、切れ目のないトイレットペーパーもあり、備え付けのペーパーホルダーで真横にカットしていた。
【考案の開示】
【考案が解決しようとする課題】
【０００３】  しかし、これでは先端が真横（図２、Ｂ）のため、その先端面５は下部６に当たるトイレットペーパーとの接触面が大きく、下部のトイレットペーパーとくっつき易くなる。
更にそのままの状態で回転したりして、次の使用時に先端を取り出すのに不便である。
【課題を解決するための手段】
【０００４】  そこで、トイレットペーパーの切れ目ＡをＶ字にすることを考案した（図１）。
このＶ字にすることにより、先端面４はＶ形にカットされ、真横カットの先端面より下部６のトイレットペーパーとの接触面が少ないため、くっつきにくく、又くっついたとしても離れやすくなる。
【考案の効果】
【０００５】  よって、本考案のＶカットトイレットペーパーは、使用時に発生するトイレットペーパーの先端のくっつき、それによって生じる取りにくさの不便さがなくなる。又、先端がＶ形で突出しているため取り易く、使用時に使いたい分の紙を取り、引っ張ることにより、使用後の本体ペーパーの先端は、Ｖ形にカットされる。その形は、ホテル、宿泊施設等で清掃済の印として三角折りをするが、その手間を省き、見た目も良いので各家庭でも喜ばれる。
【考案を実施するための最良の形態】
【０００６】  本考案に係わる、Ｖカットトイレットペーパー２は、図１に示すようにＶ字に切れ目Ａをつけ、切れやすさを考え、図３に示すように、その切れ目の長さ７を従来の（１ｍｍ〜２ｍｍ）より若干長めの（３ｍｍ〜４ｍｍ）とし、ワンブロック８は、３０ｃｍ位が望ましい。Ｖ字形にカットする角度９は、１３５°先端１０は、９０°が望ましい。又、先端に着色模様１１や、エンボス加工などの施しをすることにより、見た目も良く、いっそう使い心地の良いものになると思われる。
【図面の簡単な説明】
【０００７】
【図１】  本考案に係わる、Ｖカットトイレットペーパーの切れ目をＶ字にした状態のイラスト図である。
【図２】  従来のトイレットペーパーの切れ目が、横一直線の状態のイラスト図である。
【図３】  本考案である、Ｖカットトイレットペーパーの最良の形態を説明上のため記した、イラスト図である。
【符号の説明】
【０００８】  １      トイレットペーパーホルダー
２      本考案のＶカットトイレットペーパー
３      従来のトイレットペーパー
４      Ｖ字形にカットされた先端面
５      従来の横一直線にカットされた先端面
６      トイレットペーパーをカットした後のすぐ下の部分のペーパー
７      カット目の長さ
８      ワンブロック
９      カットする角度
１０    先端の角度
１１    トイレットペーパーの先端に施された模様
Ａ      Ｖ字に切れ目を入れた部分
Ｂ      従来の横一直線に切れ目が入った部分
【図１】
0003127713.tif 000003
【図２】
0003127713.tif 000004
【図３】
0003127713.tif 000005
【手続補正書】
【提出日】平成18年9月5日(2006.9.5)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーの切れ目を、従来の横一直線から、Ｖ字にすることによって先端の巻き戻りをなくし、取り易さと見た目の良さを考えた、Ｖカットトイレットペーパー。
(57)【要約】【課題】  既存の左官用ならしベラは、ならし板２２や補助板２３が全面板状に加工されていた為、弾力性を持たせるためには、それに使える材質が樹脂の薄板などに限定されていた。  また、上記理由から壁材との摩擦で、ならし板の磨耗が速く、かつ板自身が変形するなど耐久性が劣っていた。【解決手段】  ならし板１２と補助板１３に採用する様々な材質に合わせて、それに応じた数および形状の穴を開けることで、最適な弾力性および耐久性の確保が可能となる。【選択図】図１
0003127715.tif 000002
【実用新案登録請求の範囲】
【請求項１】
ならし板とそれを補助する補助板に穴開け加工を施したことを特徴とする左官用ならしベラ。
【考案の詳細な説明】
【技術分野】
【０００１】  本考案は、自然な風合いに仕上げる塗り壁の、最終仕上げ作業となる、壁面の凸凹面のならし作業に用いる左官用ならしベラを提供するものである。
【背景技術】
【０００２】  従来の左官用ならしベラにおいては、ヘラの主用部であるならし板や補助板は外形のみ所要の形状に加工されており、その材質は弾力性を確保する為に、樹脂板などが用いられていた。
【考案の開示】
【考案が解決しようとする課題】
【０００３】  左官用ならしベラのならし板や補助板の弾力性および変形に対する耐久性には、板の材質が寄与するが、従来の左官用ならしベラは、最終仕上のためにヘラ自体のしなりを要するため使える材質が限られ、その材質ゆえに磨耗が速く、また、ならし板および補助板が変形するのも速かった。【０００４】  さらに、板に使える材質が限られるため、多様な塗り壁材に対して対応性がなく、ならし板を加工する段階で、当該塗り壁材に最適な弾力性および変形に対する耐久性を実現しにくい欠点があった。【０００５】  さらに、職人が使う左官用ならしベラとして使用するには見栄えが映えず、商品価値が劣っていたので、本考案はこれを解決するためのものである。
【課題を解決するための手段】
【０００６】  本考案の左官用ならしベラは、ならし板とそれを補助する補助板に穴開け加工することで実現する。
【考案の効果】
【０００７】  本考案の左官用ならしベラの効果を図１において説明すると、柄１１の下部にならし板１２と補助板１３を平行にかつ適当な幅で固定する。
そのならし板１２と補助板１３に適当な穴開け加工を施すことで、従来のならし板や補助板の形状では用いる事ができなかった硬い金属板やセラミックなど幅広い素材が採用できるようになり、狙いとする弾力性および変形に対する耐久性の確保が可能となる。【０００８】  さらに、多様な塗り壁材に対してもその塗り壁材の特質を勘案した板の材料の選択が可能となり、最適の特性を有した左官用ならしベラの製作が可能となる。【０００９】  さらに、上記理由から、見栄えのする高品質な左官用ならしベラが提供できる。
【考案を実施するための最良の形態】
【００１０】柄１１にならし板１２と補助板１３を適当な間隔で平行に固定する構造とする。
【実施例】
【００１１】  本考案の左官用ならしベラを図において説明すると、図１で示されるとおり、柄１１の下部にならし板１２と補助板１３を平行に固定する。
【図面の簡単な説明】
【００１２】
【図１】本考案の左官用ならしベラの実施例を示した正面図
【図２】本考案の左官用ならしベラの実施例を示した右側面図
【図３】従来の左官用ならしベラの実施例を示した正面図
【図４】従来の左官用ならしベラの実施例を示した右側面図
【図５】本考案の左官用ならしべラの作業中の側面図
【符号の説明】
【００１３】  １１は本考案の左官用ならしベラの柄
１２は本考案の左官用ならしベラのならし板
１３は本考案の左官用ならしベラの補助板
２１は従来型の左官用ならしベラの柄
２２は従来型の左官用ならしベラのならし板
２３は従来型の左官用ならしベラの補助板
【図１】
0003127715.tif 000003
【図２】
0003127715.tif 000004
【図３】
0003127715.tif 000005
【図４】
0003127715.tif 000006
【図５】
0003127715.tif 000007
(57)【要約】【課題】  既存の左官用出隅押さえ鏝は、押さえ板全体が変形しないようにするため、約９０度の決められた角度で丈夫に加工されており、仕上げる壁の出隅部分の角度に対して柔軟性がなかった。  また、壁塗りの仕上げ段階において壁の出隅部分を仕上げるときに、周辺の壁に意図しない擦り傷、引き傷などを付けずに仕上げるには相当の熟練を必要とした。【解決手段】  押さえ板折り曲げ部３５ａに弾力を持たせる事で、仕上げる壁の出隅部分の多様な角度に柔軟に対応でき、初心者でも短時間の訓練で見栄えのする壁塗り作業を可能にする。また、自然な風合いに仕上げる塗り壁の出隅部分の仕上げ作業に十分対応しうる左官用出隅押さえ鏝が可能となる。【選択図】図４
0003127711.tif 000002
【実用新案登録請求の範囲】
【請求項１】
押さえ板の中央部は弾力を持たせて折り曲げ角度を調整可能とし、それ以外の平面部は変形しない十分な強度を確保した事を特徴とする、左官用出隅押さえ鏝。
【考案の詳細な説明】
【技術分野】
【０００１】  本考案は壁塗り仕上げ作業の最終作業となる壁面の角張ったコーナー部分（以下、出隅部分）の仕上げについて壁の出隅部分の多様な角度に応じてその都度角度を調整し、柔軟に対応しながら、しっかり押さえることが出来、なおかつ周辺の壁に意図しない押さえ傷や引き傷を作らないで仕上げることが出来る左官用角度可変式出隅押さえ鏝を提供するものである。
【背景技術】
【０００２】  従来の壁塗り仕上げ作業用の左官用出隅押さえ鏝は、角度が固定された上になおかつ押さえ板全面が強固に加工されていた。
【考案の開示】
【考案が解決しようとする課題】
【０００３】  従来の左官用鏝の出隅押さえ鏝の押さえ板は図１の１３ように等辺の形状で、さらに全体が金属など強度のある画一的な材質の物で形成され、その中央部を縦方向に特定の角度で折り曲げられ、固定加工されていた。したがって、１３の押さえ板は、仕上げる壁面の出隅部分の角度に対して融通性がなく、その押さえ板の両端部で周辺の壁に意図しない傷をしばしばつけていた。【０００４】  また、従来の左官用鏝の片袖面引き押さえ鏝の押さえ板は、図２の２３ように不等辺の形状で、さらに全体が金属など強度のある画一的な材質の物で形成され、柱脚２２が片方の幅の広い平面部２３ｂに固定され、もう一方の幅の狭い平面部２３ａが特定の角度に折り曲げられ、固定加工されていた。
したがって、２３の押さえ板は、仕上げる壁面の出隅部分の角度に対して融通性がなく、その押さえ板の両端部で周辺の壁に意図しない傷をしばしばつけていた。
【課題を解決するための手段】
【０００５】  本考案の左官用角度可変式出隅押さえ鏝は、図３に示すとおり押さえ板３５の中央の折り曲げ部３５ａに適度な弾力性を持たせ、それ以外の平面部は補強板３３および３４にて補強する加工を施すことで角度が任意に変えられる機能が実現する。
【考案の効果】
【０００６】  本考案の左官用角度可変式出隅押さえ鏝の効果を図３において説明すると柄３１の下部に柱脚３２を固定してさらに、その先に適度な強度を持たせた押さえ板を固定するための補強板３３を固定する。
その補強板３３に押さえ板３５の３５ａを中央の折り曲げ部分にした片側平面部を固定する。さらにその押さえ板３５のもう一方の平面部に別の補強板３４を固定する。この事により、押さえ板３５は、３３と３４の間の補強板の無い折り曲げ部３５ａに沿って任意に角度を調整し、押さえ板端面３５ｂは図３断面図上では３５ａを中心として角度が自由に調整出来、その他の部分は補強板３３と３４の作用によって変形することなく、平面を保つ事が可能となる。【０００７】  上記理由から、本考案の左官用角度可変式出隅押さえ鏝は、仕上げる塗り壁の出隅部分の角度に左右される事なく、幅広い任意の角度に対応する事ができる効果がある。
また、この左官用角度可変式出隅押さえ鏝は押さえ板折り曲げ部３５ａで補強板が無く、かつ薄く弾力性があるので、鏝を押さえる力が強すぎた場合には３５ａを中心として押さえ板３５の端面３５ｂが開くことにより、周辺の壁を傷つけない効果がある。【０００８】  さらに、上記理由から短時間の訓練で、９０度以上のいかなる出隅部分の角度に対しても任意の角度で見栄えのする隅押さえ塗り作業が可能となる。【０００９】  さらに、上記理由から作業時間が飛躍的に短縮でき、効率的な作業が出来る。【００１０】  さらに、当考案は実施するに当り、特殊な加工工程がないので安価な製品化が可能となる。
【考案を実施するための最良の形態】
【００１１】  図３のとおり、柄３１に柱脚８２を固定して、その先に補強板３３を固定する。
その補強板３３に、弾力性のある材料を用いて３５ａ部で約９０度に折り曲げ加工された押さえ板３５の片方の平面部を固定する。
さらに、その押さえ板３５の他方の平面部に補強板３４を固定する構造とする。
【実施例】
【００１２】  本考案の左官用角度可変式出隅押さえ鏝を図３において説明すると、図３で示されるとおり、柄３１に柱脚３２を固定し、その先に補強板３３、押さえ板３５、さらに補強板３４を固定する。
【図面の簡単な説明】
【００１３】
【図１】従来の左官用出隅押さえ鏝の断面図
【図２】従来の左官用片袖面引き押さえ鏝の断面図
【図３】本考案の左官用角度可変式出隅押さえ鏝の実施例１を示した断面図
【図４】本考案の左官用角度可変式出隅押さえ鏝の実施例１を示した斜視図
【符号の説明】
【００１４】１１は従来の左官用出隅押さえ鏝の柄
１２は従来の左官用出隅押さえ鏝の柱脚
１３は従来の左官用出隅押さえ鏝の押さえ板
１３ａは従来の左官用出隅押さえ鏝の押さえ板左端部
１３ｂは従来の左官用出隅押さえ鏝の押さえ板右端部
２１は従来の左官用片袖面引き押さえ鏝の柄
２２は従来の左官用片袖面引き押さえ鏝の柱脚
２３は従来の左官用片袖面引き押さえ鏝の押さえ板
２３ａは従来の左官用片袖面引き押さえ鏝の幅の狭い平面部
２３ｂは従来の左官用片袖面引き押さえ鏝の幅の広い平面部
３１は本考案実施例１の左官用角度可変式出隅押さえ鏝の柄
３２は本考案実施例１の左官用角度可変式出隅押さえ鏝の柱脚
３３は本考案実施例１の左官用角度可変式出隅押さえ鏝の補強板
３４は本考案実施例１の左官用角度可変式出隅押さえ鏝の補強板
３５は本考案実施例１の左官用角度可変式出隅押さえ鏝の押さえ板
３５ａは本考案実施例１の左官用角度可変式出隅押さえ鏝の押さえ板折り曲げ部
３５ｂは本考案実施例１の左官用角度可変式出隅押さえ鏝の押さえ板端面
【図１】
0003127711.tif 000003
【図２】
0003127711.tif 000004
【図３】
0003127711.tif 000005
【図４】
0003127711.tif 000006
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
弾力性を有する材料から成り、かつ、中央部で約９０度に折り曲げ加工された押さえ板を用い、当該折り曲げ部の両側にある押さえ板平面部において、壁に接触する面とは反対側の面に、強固な材質から成る補強板を取り付けることにより、補強板の無い折り曲げ部を中心として両側の押さえ板平面部が創り出す角度を自由に調整できる構造を特徴とする、左官用出隅押さえ鏝。